【事件の表示】
　特許第６６４２００８号に関する訂正審判事件について、次のとおり審決する。
【結　論】
　特許第６６４２００８号の明細書及び特許請求の範囲を本件審判請求書に添付された訂正明細書及び特許請求の範囲のとおり、訂正後の請求項〔１、２、５−１２〕に訂正することを認める。
【理　由】
第１　手続の経緯 
 　本件訂正審判の請求に係る特許第６６４２００８号発明（以下「本件特許」という。）は、平成２８年１月７日を出願日とする特許出願（特願２０１６−１７４３号）に係るものであって、その請求項１〜１２に係る発明について令和２年１月８日に特許権の設定登録がなされたものである。
　そして、令和２年１１月１１日に本件訂正審判の請求がなされ、令和３年１月１４日付けで訂正拒絶理由が通知され、同年２月１７日に意見書及び参考資料１〜２が提出されたものである。
 
 第２　請求の趣旨及び内容
１　訂正の趣旨
 　本件訂正審判請求の趣旨は、「特許第６６４２００８号の明細書、特許請求の範囲を本件審判請求書に添付した訂正明細書、特許請求の範囲のとおり、訂正後の請求項１、２及び５〜１２について訂正することを認める、との審決を求める。」というものであり、すなわち、本件特許に係る願書に添付した明細書、特許請求の範囲を下記「２　訂正の内容」の訂正事項１〜１０のとおりに訂正することを求めるというものである。
　
２　訂正の内容
（１）訂正事項１
　特許請求の範囲の請求項１に
「（メタ）アクリル重合体（Ｐ）とタングステン酸化物粒子とを含有する（メタ）アクリル樹脂組成物であって、
 前記（メタ）アクリル重合体（Ｐ）１００質量部に対する前記タングステン酸化物粒子の量が０．００３質量部以上０．０２質量部以下であり、
 ゲルパーミエーションクロマトグラフィー（ＧＰＣ）を用いて下記方法３で測定した前記（メタ）アクリル重合体（Ｐ）の重量平均分子量（Ｍｗ）が１５０，０００以上３０，０００，０００以下であり、且つ
 前記（メタ）アクリル重合体（Ｐ）が、前記ゲルパーミエーションクロマトグラフィー（ＧＰＣ）で測定した重量平均分子量（Ｍｗ）１５０，０００以上の成分を、前記方法３で測定したＧＰＣ分子量分布曲線におけるピーク面積において４０％以上含む、（メタ）アクリル樹脂組成物。
 ＜方法３＞
（メタ）アクリル樹脂組成物をＴＨＦに溶解した溶液を、ＧＰＣ測定用のサンプルとする。
ＧＰＣ測定では、高速液体クロマトグラフィー測定装置に、分離カラム（ＴＳＫ−Ｇｅｌ社製、商品名：ＳＵＰＥＲ ＨＭ−Ｈ）を２本直列で使用し、検出器には示差屈折計を用いる。
分離カラム温度：４０℃、移動層：テトラヒドロフラン（ＴＨＦ）、移動層の流量：０．６ｍｌ／ｍｉｎ、サンプル注入量：１０μｌの条件で測定を行ない、ＧＰＣ分子量分布曲線を得る。得られたＧＰＣ分子量分布曲線について、分子量既知のポリメタクリル酸メチル数種類（Ｍｗ３４０〜１，９５０，０００）を標準ポリマーとして、標準ポリマー換算分子量を求める。」
とあるのを
「（メタ）アクリル重合体（Ｐ）とタングステン酸化物粒子とを含有する（メタ）アクリル樹脂組成物であって、
前記（メタ）アクリル重合体（Ｐ）１００質量部に対する前記タングステン酸化物粒子の量が０．００３質量部以上０．０２質量部以下であり、
ゲルパーミエーションクロマトグラフィー（ＧＰＣ）を用いて下記方法３で測定した前記（メタ）アクリル重合体（Ｐ）の重量平均分子量（Ｍｗ）が１５０，０００以上３０，０００，０００以下であり、且つ
前記（メタ）アクリル重合体（Ｐ）が、前記ゲルパーミエーションクロマトグラフィー（ＧＰＣ）で測定した分子量１５０，０００以上の成分を、前記方法３で測定したＧＰＣ分子量分布曲線におけるピーク面積において４０％以上含む、
（メタ）アクリル樹脂組成物。
 ＜方法３＞
（メタ）アクリル樹脂組成物をＴＨＦに溶解した溶液を、ＧＰＣ測定用のサンプルとする。
ＧＰＣ測定では、高速液体クロマトグラフィー測定装置に、分離カラム（ＴＳＫ−Ｇｅｌ社製、商品名：ＳＵＰＥＲ ＨＭ−Ｈ）を２本直列で使用し、検出器には示差屈折計を用いる。
分離カラム温度：４０℃、移動層：テトラヒドロフラン（ＴＨＦ）、移動層の流量：０．６ｍｌ／ｍｉｎ、サンプル注入量：１０μｌの条件で測定を行ない、ＧＰＣ分子量分布曲線を得る。得られたＧＰＣ分子量分布曲線について、分子量既知のポリメタクリル酸メチル数種類（Ｍｗ３４０〜１，９５０，０００）を標準ポリマーとして、標準ポリマー換算分子量を求める。」
と訂正する。
　
（２）訂正事項２
　特許請求の範囲の請求項５に
「前記（メタ）アクリル重合体（Ｐ）が、前記ゲルパーミエーションクロマトグラフィー（ＧＰＣ）で測定した重量平均分子量（Ｍｗ）２５０，０００以上の成分を、前記ＧＰＣ分子量分布曲線におけるピーク面積において２０％以上含む、請求項１又は２に記載の（メタ）アクリル樹脂組成物。」
とあるのを
「前記（メタ）アクリル重合体（Ｐ）が、前記ゲルパーミエーションクロマトグラフィー（ＧＰＣ）で測定した分子量２５０，０００以上の成分を、前記ＧＰＣ分子量分布曲線におけるピーク面積において２０％以上含む、請求項１又は２に記載の（メタ）アクリル樹脂組成物。」
と訂正する。
　
（３）訂正事項３
　特許請求の範囲の請求項６に
「前記（メタ）アクリル重合体（Ｐ）が、前記ゲルパーミエーションクロマトグラフィー（ＧＰＣ）で測定した重量平均分子量（Ｍｗ）４００，０００以上の成分を、前記ＧＰＣ分子量分布曲線におけるピーク面積において５％以上含む、請求項１、２及び５のいずれかに記載の（メタ）アクリル樹脂組成物。」
とあるのを
「前記（メタ）アクリル重合体（Ｐ）が、前記ゲルパーミエーションクロマトグラフィー（ＧＰＣ）で測定した分子量４００，０００以上の成分を、前記ＧＰＣ分子量分布曲線におけるピーク面積において５％以上含む、請求項１、２及び５のいずれかに記載の（メタ）アクリル樹脂組成物。」
と訂正する。
　
（４）訂正事項４
　特許請求の範囲の請求項７に
「前記（メタ）アクリル重合体（Ｐ）が、前記ゲルパーミエーションクロマトグラフィー（ＧＰＣ）で測定した重量平均分子量（Ｍｗ）１００，０００以下の成分を、前記ＧＰＣ分子量分布曲線におけるピーク面積において４５％以下含む、請求項１、２、５及び６のいずれかに記載の（メタ）アクリル樹脂組成物。」
とあるのを
「前記（メタ）アクリル重合体（Ｐ）が、前記ゲルパーミエーションクロマトグラフィー（ＧＰＣ）で測定した分子量１００，０００以下の成分を、前記ＧＰＣ分子量分布曲線におけるピーク面積において４５％以下含む、請求項１、２、５及び６のいずれかに記載の（メタ）アクリル樹脂組成物。」
と訂正する。
　
（５）訂正事項５
　明細書の段落【００１５】、【００１６】、【００１７】、【００１８】、【００３０】、【００４６】、【００４７】、【００４８】及び【００４９】にそれぞれ「重量平均分子量（Ｍｗ）」と記載されているのを、「分子量」に訂正する。
　
（６）訂正事項６
　明細書の段落【００７３】〜【００７６】にそれぞれ「Ｍｗ」と記載されているのを、「分子量」に訂正する。
　
（７）訂正事項７
　明細書の段落【００９６】、【０１００】、【０１０４】及び明細書の段落【０１０６】の【表１】中にそれぞれ「Ｍｗ１５０，０００以上の成分のＧＰＣ面積比率」と記載されているのを、
「分子量１５０，０００以上の成分のＧＰＣ面積比率」に訂正する。
（８）訂正事項８
　明細書の段落【００９６】、【０１００】、【０１０４】及び明細書の段落【０１０６】の【表１】中にそれぞれ「Ｍｗ２５０，０００以上の成分のＧＰＣ面積比率」と記載されているのを、
「分子量２５０，０００以上の成分のＧＰＣ面積比率」に訂正する。
　
（９）訂正事項９
　明細書の段落【００９６】、【０１００】、【０１０４】及び明細書の段落【０１０６】の【表１】中にそれぞれ「Ｍｗ４００，０００以上の成分のＧＰＣ面積比率」と記載されているのを、「分子量４００，０００以上の成分のＧＰＣ面積比率」に訂正する。
　
（１０）訂正事項１０
　明細書の段落【００９６】、【０１００】、【０１０４】及び明細書の段落【０１０６】の【表１】中にそれぞれ「Ｍｗ１００，０００以下の成分のＧＰＣ面積比率」と記載されているのを、「分子量１００，０００以下の成分のＧＰＣ面積比率」に訂正する。
　　
　　
第３　請求人が令和３年２月１７日付けの意見書に添付して提出した資料
　請求人は、令和３年２月１７日付けの意見書に、以下の資料を添付して提出した。
　
参考資料１：蒲池幹治ら監修「ラジカル重合ハンドブック−基礎から新展開まで−」、株式会社エヌ・ティー・エス、１９９９年、第４３４頁〜４３５、４５３頁
参考資料２：社団法人日本分析化学会、高分子分析研究懇談会編「新版高分子分析ハンドブック」、株式会社紀伊國屋書店、１９９５年１月、１２２頁
　
　参考資料１、２に記載された事項は、以下のとおりである。
（１）参考資料１
　参考資料１には、以下の事項が記載されている。
　
（参１ａ）「１．１　はじめに
　合成高分子は分子量の異なる分子の集合体であり、したがって合成高分子の分子量は一般に平均分子量で表示される。平均分子量の測定法には光散乱法（ＬＳ）、沈降平衡法、膜浸透圧法（ＭＯ）、蒸気圧浸透圧法（ＶＰＯ）、末端基測定法などがあり、前二者によって重量平均分子量（Ｍｗ）が，後三者によって数平均分子量（Ｍｎ）が求められる。これらの方法は分子量既知の標準試料を必要としない点で絶対測定法に位置づけられている。」（第４３４頁左欄第２〜１１行）
（参１ｂ）「１．２　サイズ排除クロマトグラフィー（ＳＥＣ）
　カラム充填剤の細孔の大きさを利用し、試料分子を分子サイズの大きいものから順次分離していく液体クロマトグラフィーをＳＥＣという。充填剤（固定相）と試料分子との間に水素結合などの相互作用がないことを原則とし、同じ分子サイズの分子は種類によらず同じ位置に溶出する。したがって種類の異なる高分子の間でも、分子サイズと分子量の関係を知ることにより、分子量の相互換算が可能となる。このことよりＳＥＣは高分子の分子量測定法に位置づけられる。」（第４３４頁右欄第９〜１９行）
　
（参１ｃ）「またＭｎとＭｗ（さらに、ｚ平均分子量や粘度平均分子量も求められる）が同時に測定できることから、分子量分布を求めることもでき、今ではＳＥＣは高分子の分子量測定法としてよく利用されている。」（第４３４頁右欄第１９〜２３行）
　
（参１ｄ）「ＳＥＣで高分子の分子量を求めるには、まず高速液体クロマトグラフに目的高分子の分別に適したＳＥＣカラムを装着し、クロマトグラムを測定する。また分子量既知で分子量分布の狭いポリスチレン（ＰＳ）標準試料を用いてlogＭ−保持容量（ＶＲ）の関係を図示した較正曲線を作成する（図１参照）。次に試料高分子のＳＥＣクロマトグラムを等分に分割し（図２）、各分割点におけるクロマトグラム高さ（Ｈｉ）を求め、また図１の較正曲線から同じ保持容量における分子量Ｍｉを求める。例えば保持容量２６ｍｌにおける高さと同じ位置における分子量（図１では275,000）を求める。次式によって平均分子量を計算する。
　　
　」（第４３４頁右欄第２４行〜第４３５頁左欄）
（２）参考資料２
　参考資料２には、以下の事項が記載されている。
　
（参２ａ）「４．５．２　サイズ排除クロマトグラフィー
　サイズ排除クロマトグラフィー（以下ＳＥＣ）はしばしばゲルパーミエーションクロマトグラフィー（ＧＰＣ）とも呼ばれ、ＭＷＤ測定法のなかでも最も広く用いられている方法である。」（第１２２頁第３〜６行）
　
　　
第４　当審の判断
１　訂正事項１について
（１）目的要件について
ア　目的要件の判断の前提 
　審判請求人は、訂正事項について、審判請求書５頁５．（３）イ（ア）ａにおいて、本件訂正が特許法第１２６条第１項ただし書き２号に掲げる誤記の訂正を目的とするものである旨主張しているので、まず検討する。 
 
　明細書の誤記を目的とする訂正が認められるためには、特許がされた明細書の記載に誤記が存在し、それ自体で又は明細書又は図面の他の記載との関係で、誤りであることが明らかであり、かつ正しい記載が願書に添付した明細書、特許請求の範囲又は図面から自明な事項として定まる必要がある。
　 　 
イ　目的要件の判断 
 　訂正前及び訂正後の請求項１の記載は、上記「第２　請求の趣旨及び内容」「２　訂正の内容」「（１）訂正事項１」のとおりである。
　
 　前記訂正事項は、要するに、「（メタ）アクリル重合体（Ｐ）」について「樹脂成形体の切削加工性を良好にできる点」（段落【００４６】）から特徴づけるための、「前記方法３で測定したＧＰＣ分子量分布曲線におけるピーク面積」における一部の面積を画する指標として、「ゲルパーミエーションクロマトグラフィー（ＧＰＣ）で測定した重量平均分子量（Ｍｗ）１５０，０００以上の成分」と「重量平均分子量（Ｍｗ）」を指標にしていたのを、「ゲルパーミエーションクロマトグラフィー（ＧＰＣ）で測定した分子量１５０，０００以上の成分」と「分子量」を指標にするものである。
　そして、誤記の訂正を目的としたものとして認められるためには、（ア）訂正前の特許請求の範囲の記載がそれ自体で、又は特許された明細書の記載との関係で誤りであることが明らかであり、かつ、（イ）特許がされた明細書、特許請求の範囲又は図面の記載全体から、正しい記載が自明な事項として定まることが必要である。
　したがって、前記訂正事項が認められるためには、（ア）訂正前の「ゲルパーミエーションクロマトグラフィー（ＧＰＣ）で測定した重量平均分子量（Ｍｗ）１５０，０００以上の成分」の記載がそれ自体で、又は明細書、特許請求の範囲の記載との関係で誤りであることが明らかであり、かつ、（イ）明細書、特許請求の範囲の記載全体から「ゲルパーミエーションクロマトグラフィー（ＧＰＣ）で測定した分子量１５０，０００以上の成分」の記載が自明な事項として定まることが必要である。
 
（ア）訂正前の特許請求の範囲の記載がそれ自体で、又は特許された明細書、他の特許請求の範囲の記載との関係で誤りであることが明らかであることについて
　
　まず、「訂正前の特許請求の範囲の記載がそれ自体で、誤りであることが明らかであること」について検討する。
　
　訂正前の請求項１は、「・・・ゲルパーミエーションクロマトグラフィー（ＧＰＣ）を用いて下記方法３で測定した前記（メタ）アクリル重合体（Ｐ）の重量平均分子量（Ｍｗ）が１５０，０００以上３０，０００，０００以下であり、且つ
 前記（メタ）アクリル重合体（Ｐ）が、前記ゲルパーミエーションクロマトグラフィー（ＧＰＣ）で測定した重量平均分子量（Ｍｗ）１５０，０００以上の成分を、前記方法３で測定したＧＰＣ分子量分布曲線におけるピーク面積において４０％以上含む、（メタ）アクリル樹脂組成物。
 ＜方法３＞
（メタ）アクリル樹脂組成物をＴＨＦに溶解した溶液を、ＧＰＣ測定用のサンプルとする。ＧＰＣ測定では、高速液体クロマトグラフィー測定装置に、分離カラム（ＴＳＫ−Ｇｅｌ社製、商品名：ＳＵＰＥＲ ＨＭ−Ｈ）を２本直列で使用し、検出器には示差屈折計を用いる。分離カラム温度：４０℃、移動層：テトラヒドロフラン（ＴＨＦ）、移動層の流量：０．６ｍｌ／ｍｉｎ、サンプル注入量：１０μｌの条件で測定を行ない、
ＧＰＣ分子量分布曲線
を発明特定事項としている。
　
　まず、はじめに、本件訂正前の請求項１の記載のうち「ＧＰＣ分子量分布曲線」について検討する。
　「ＧＰＣ分子量分布曲線」について、一般文献である参考資料２の（参２ａ）には「サイズ排除クロマトグラフィー（以下ＳＥＣ）はしばしばゲルパーミエーションクロマトグラフィー（ＧＰＣ）とも呼ばれ」と記載され、同じく一般文献である参考資料１の（参１ｄ）には、「サイズ排除クロマトグラフィー（以下ＳＥＣ）」について、「ＳＥＣで高分子の分子量を求めるには、まず高速液体クロマトグラフに目的高分子の分別に適したＳＥＣカラムを装着し、クロマトグラムを測定する。また分子量既知で分子量分布の狭いポリスチレン（ＰＳ）標準試料を用いてlogＭ−保持容量（ＶＲ）の関係を図示した較正曲線を作成する（図１参照）。次に試料高分子のＳＥＣクロマトグラムを等分に分割し（図２）、各分割点におけるクロマトグラム高さ（Ｈｉ）を求め、また図１の較正曲線から同じ保持容量における分子量Ｍｉを求める」と記載され、第２図には、縦軸に「記録計応答」、横軸に「保持容量（ｍｌ）」の曲線のグラフが記載されており、上記記載から、横軸の「保持容量（ｍｌ）」は第１図の「較正曲線」により同じ「保持容量」における「分子量Ｍｉ」に変換されること、すなわち、第２図には、縦軸が「記録計応答」であり、横軸が「分子量Ｍｉ」に変換可能な「保持容量」である「分子量分布曲線」が記載されているといえる。
　そうすると、訂正前の請求項１に記載された「ＧＰＣ分子量分布曲線」とは、請求人が令和３年２月１７日に提出した意見書の第４頁の「（（ア）及び（イ）についての説明）」の中で「本件特許請求の範囲および明細書における「ＧＰＣ分子量分布曲線」は、参考資料１の435頁の図２に示されるようなものであり・・・」（第４頁第２５から２６行）と述べているとおり、「ゲルパーミエーションクロマトグラフィー（ＧＰＣ）」により測定された、参考資料１の第２図のような縦軸が「記録計応答」であり、横軸が「分子量Ｍｉ」である分布曲線であるといえる。
　「ＧＰＣ分子量分布曲線」について、訂正前の請求項１の「前記方法３で測定したＧＰＣ分子量分布曲線・・・ ＜方法３＞（メタ）アクリル樹脂組成物をＴＨＦに溶解した溶液を、ＧＰＣ測定用のサンプルとする。ＧＰＣ測定では、高速液体クロマトグラフィー測定装置に、分離カラム（ＴＳＫ−Ｇｅｌ社製、商品名：ＳＵＰＥＲ ＨＭ−Ｈ）を２本直列で使用し、検出器には示差屈折計を用いる。分離カラム温度：４０℃、移動層：テトラヒドロフラン（ＴＨＦ）、移動層の流量：０．６ｍｌ／ｍｉｎ、サンプル注入量：１０μｌの条件で測定を行ない、ＧＰＣ分子量分布曲線を得る。得られたＧＰＣ分子量分布曲線について、分子量既知のポリメタクリル酸メチル数種類（Ｍｗ３４０〜１，９５０，０００）を標準ポリマーとして、標準ポリマー換算分子量を求める」の記載を確認すると、
訂正前の請求項１における「高速液体クロマトグラフィー測定装置に、分離カラム（ＴＳＫ−Ｇｅｌ社製、商品名：ＳＵＰＥＲ ＨＭ−Ｈ）を２本直列で使用」とは、参考文献１の（参１ｄ）の「高速液体クロマトグラフに目的高分子の分別に適したＳＥＣカラムを装着」して使用することであり、訂正前の請求項１の「＜方法３＞」では、「分離カラム温度：４０℃、移動層：テトラヒドロフラン（ＴＨＦ）、移動層の流量：０．６ｍｌ／ｍｉｎ、サンプル注入量：１０μｌ」の具体的な測定条件で、「示差屈折計」を用いて「記録計応答」の値を測定している。
　また、訂正前の請求項１における「得られたＧＰＣ分子量分布曲線について、分子量既知のポリメタクリル酸メチル数種類（Ｍｗ３４０〜１，９５０，０００）を標準ポリマーとして、標準ポリマー換算分子量を求める」とは、（参１ｄ）の「標準資料」として「分子量既知で分子量分布の狭いポリスチレン（ＰＳ）」ではなく「分子量既知のポリメタクリル酸メチル数種類（Ｍｗ３４０〜１，９５０，０００）」を用いるものであるが、（参１ｄ）の「分子量既知で分子量分布の狭いポリスチレン（ＰＳ）標準試料を用いてlogＭ−保持容量（ＶＲ）の関係を図示した較正曲線を作成」と同様の操作を行っているといえる。
　上記した「ＧＰＣ分子量分布曲線」の意味を踏まえて訂正前の請求項１の「＜方法３＞」の記載をみると、その測定結果は、（参１ｄ）の図２のような、縦軸に「記録計応答」である「示差屈折計」によって測定された値が、横軸に、「保持容量」を「分子量既知のポリメタクリル酸メチル数種類（Ｍｗ３４０〜１，９５０，０００）を標準ポリマー」を用いて作成した「較正曲線」により変換した「分子量Ｍｉ」の「分子量分布曲線」になるといえる。
　
　次に、訂正前の請求項１に記載された「重量平均分子量（Ｍｗ）」について検討する。
　「重量平均分子量（Ｍｗ）」とは、（参１ａ）に記載されているように「平均分子量」を示す値であり、（参１ｄ）の「試料高分子のＳＥＣクロマトグラムを等分に分割し（図２）、各分割点におけるクロマトグラム高さ（Ｈｉ）を求め、また図１の較正曲線から同じ保持容量における分子量Ｍｉを求める。例えば保持容量２６ｍｌにおける高さと同じ位置における分子量（図１では275,000）を求める。次式によって平均分子量を計算する。・・・」の「重量平均分子量」を意味する「Ｍｗ」の式により求められるものである。
　そして、訂正前の請求項１における「ゲルパーミエーションクロマトグラフィー（ＧＰＣ）で測定した重量平均分子量（Ｍｗ）」についても、上記（参１ｄ）記載の手順により計算して求められるものであるといえる。
　
　また、参考資料１の（参１ｃ）には「今ではＳＥＣは高分子の分子量測定法としてよく利用されている」と、「ＳＥＣ（サイズ排除クロマトグラフィー」、すなわち、「ゲルパーミエーションクロマトグラフィー（ＧＰＣ）」は、「高分子の分子量測定法」として汎用のものであることが記載されている。
　
　以上を踏まえると、訂正前の請求項１における「ＧＰＣ分子量分布曲線」とは、「ゲルパーミエーションクロマトグラフィー（ＧＰＣ）」により測定された、参考資料１の（参１ｄ）の第２図のような縦軸が「記録計応答」であり、横軸が「分子量Ｍｉ」であるグラフの「分子量分布曲線」であるところ、訂正前の請求項１の「前記方法３で測定したＧＰＣ分子量分布曲線におけるピーク面積」における一部の面積を画する指標として、「ＧＰＣ分子量分布曲線」から（参１ｄ）の「Ｍｗ」の計算式から算出され「平均分子量」を表す「重量平均分子量」では、「ＧＰＣ分子量分布曲線」において一部の面積を画することはできないことは当業者からみれば明らかである。
　したがって、訂正前の請求項１の「前記（メタ）アクリル重合体（Ｐ）が、前記ゲルパーミエーションクロマトグラフィー（ＧＰＣ）で測定した
重量平均分子量（Ｍｗ）
　
（イ）訂正後の記載に関して、特許がされた明細書、特許請求の範囲の記載全体から、正しい記載が自明な事項として定まることについて
　上記（ア）で検討したとおり、訂正前の請求項１の「前記方法３で測定したＧＰＣ分子量分布曲線・・・ ＜方法３＞（メタ）アクリル樹脂組成物をＴＨＦに溶解した溶液を、ＧＰＣ測定用のサンプルとする。ＧＰＣ測定では、高速液体クロマトグラフィー測定装置に、分離カラム（ＴＳＫ−Ｇｅｌ社製、商品名：ＳＵＰＥＲ ＨＭ−Ｈ）を２本直列で使用し、検出器には示差屈折計を用いる。分離カラム温度：４０℃、移動層：テトラヒドロフラン（ＴＨＦ）、移動層の流量：０．６ｍｌ／ｍｉｎ、サンプル注入量：１０μｌの条件で測定を行ない、ＧＰＣ分子量分布曲線を得る。得られたＧＰＣ分子量分布曲線について、分子量既知のポリメタクリル酸メチル数種類（Ｍｗ３４０〜１，９５０，０００）を標準ポリマーとして、標準ポリマー換算分子量を求める」の記載のうち「ＧＰＣ分子量分布曲線」とは、（参１ｄ）の図２のような、縦軸に「記録計応答」である「示差屈折計」によって測定された値が、横軸に、「保持容量」を「分子量既知のポリメタクリル酸メチル数種類（Ｍｗ３４０〜１，９５０，０００）を標準ポリマー」を用いて作成した「較正曲線」に変換した「分子量Ｍｉ」の「分子量分布曲線」であるといえる。
　そして、「ＧＰＣ分子量分布曲線」において、「前記方法３で測定したＧＰＣ分子量分布曲線におけるピーク面積」における一部の面積を画することができる指標は、横軸となる「保持容量」を「分子量既知のポリメタクリル酸メチル数種類（Ｍｗ３４０〜１，９５０，０００）を標準ポリマー」を用いて作成した「較正曲線」に変換した「分子量Ｍｉ」のみであることは当業者にとって明らかであるといえる。
　そうすると、訂正前の請求項１の「前記（メタ）アクリル重合体（Ｐ）が、前記ゲルパーミエーションクロマトグラフィー（ＧＰＣ）で測定した重量平均分子量（Ｍｗ）１５０，０００以上の成分を、前記方法３で測定したＧＰＣ分子量分布曲線におけるピーク面積において４０％以上含む」の記載について、「重量平均分子量（Ｍｗ）」が誤りであり、「分子量」が正しいことであることは、当業者にとって自明なことといえる。
　
ウ　小括 
　以上のとおり、（ア）訂正前の請求項１の「ゲルパーミエーションクロマトグラフィー（ＧＰＣ）で測定した重量平均分子量（Ｍｗ）１５０，０００以上の成分」の記載が技術常識からみてそれ自体で誤りであることが明らかであり、かつ、（イ）「ゲルパーミエーションクロマトグラフィー（ＧＰＣ）で測定した分子量１５０，０００以上の成分」の記載が技術常識からみて自明な事項として定まるといえる。
 　よって、訂正事項１は、特許法第１２６条第１項ただし書第２号に掲げる誤記の訂正を目的とするものといえる。
（２）願書に添付した明細書、特許請求の範囲又は図面に記載した事項の範囲内においてする訂正であること（特許法第１２６条第３項）
ア　はじめに
　前記（１）で判断したとおり、本件訂正は特許法第１２６条第１項ただし書第２号に掲げる事項を目的とするものであるから、本件訂正が特許法第１２６条第５項の規定に適合するかどうかについては、本件特許の願書に最初に添付した明細書、特許請求の範囲又は図面（以下「本件当初明細書等」という。）を基準として判断する（特許法第１２６条第５項括弧書）。
　
イ　本件当初明細書等の記載
　本件当初明細書等の特許請求の範囲の【請求項４】には、「前記（メタ）アクリル重合体（Ｐ）が、ゲルパーミエーションクロマトグラフィー（ＧＰＣ）で測定した重量平均分子量（Ｍｗ）１５０，０００以上の成分を、ＧＰＣ分子量分布曲線におけるピーク面積において４０％以上含む、請求項３に記載の（メタ）アクリル樹脂組成物」と記載され、本件訂正前の請求項１と同様の発明特定事項が記載されている。
　
ウ　検討
　上記（１）イ（ア）及び（イ）で検討したとおり、本件の当初明細書等の特許請求の範囲の【請求項４】の「ゲルパーミエーションクロマトグラフィー（ＧＰＣ）で測定した重量平均分子量（Ｍｗ）１５０，０００以上の成分」の記載についても技術常識からみてそれ自体で誤りであることが明らかであり、かつ、「ゲルパーミエーションクロマトグラフィー（ＧＰＣ）で測定した分子量１５０，０００以上の成分」であることが正しい記載であることが技術常識からみて自明な事項として定まり同一の意味といえる。
　したがって、本件訂正後の記載である「ゲルパーミエーションクロマトグラフィー（ＧＰＣ）で測定した分子量１５０，０００以上の成分」は、本件当初明細書等の記載においても自明な事項として定まるものであるということができるから、本件訂正が、本件当初明細書等のすべての記載を総合することにより導かれる技術的事項との関係において、新たな技術的事項を導入するものであるとはいえない。
　
エ　小括
　以上によると、本件訂正は、本件当初明細書等に記載した事項の範囲内においてしたものであるということができる。
　したがって、本件訂正は特許法第１２６条第５項の規定に適合する。
　
（３）実質上特許請求の範囲を拡張し又は変更する訂正ではないこと（特許法第１２６条第６項）
　上記（１）イ（ア）及び（イ）で検討したとおり、訂正前の請求項１の「ゲルパーミエーションクロマトグラフィー（ＧＰＣ）で測定した重量平均分子量（Ｍｗ）１５０，０００以上の成分」の記載が技術常識からみてそれ自体で誤りであることが明らかであり、かつ、（イ）「ゲルパーミエーションクロマトグラフィー（ＧＰＣ）で測定した分子量１５０，０００以上の成分」の記載が技術常識からみて自明な事項として定まり同一の意味といえるから、本件訂正は、実質上特許請求の範囲を拡張し又は変更するものではない。
　したがって、本件訂正は特許法第１２６条第６項の規定に適合する。
　
（４）訂正後における請求項に係る発明が特許出願の際独立して特許を受けることができるものであること（特許法第１２６条第７項）
　本件訂正による訂正後の本件発明について、特許出願の際独立して特許を受けることができるとはいえないものであるとする理由はみあたらない。
　したがって、本件訂正は特許法第１２６条第７項の規定に適合する。
　
（５）まとめ
　以上のとおり、本件訂正１は、特許法第１２６条第１項ただし書第２号に掲げる事項を目的とし、かつ、同法同条第５項から第７項までの規定に適合するものである。
　
　
２　訂正事項２〜４について
　訂正事項２〜４は、訂正前の請求項５、６、７の「前記（メタ）アクリル重合体（Ｐ）が、ゲルパーミエーションクロマトグラフィー（ＧＰＣ）で測定した
重量平均分子量（Ｍｗ）
重量平均分子量（Ｍｗ）
分子量
分子量
　これらの訂正は、上記１で検討したとおり、特許法第１２６条第１項ただし書第２号に掲げる誤記の訂正を目的とするものであり、かつ、同法同条第５項から第７項までの規定に適合するものである。
　
３　訂正事項５〜６について
　訂正事項５は、訂正前の本件明細書の段落【００１５】、【００１６】、【００１７】、【００１８】、【００３０】の訂正前の「前記（メタ）アクリル重合体（Ｐ）が、ゲルパーミエーションクロマトグラフィー（ＧＰＣ）で測定した
重量平均分子量（Ｍｗ）
重量平均分子量（Ｍｗ）
　訂正事項６は、訂正前の本件明細書の段落【００７３】〜【００７６】の「前記（メタ）アクリル重合体（Ｐ）は、ＧＰＣで測定した
Ｍｗ
Ｍｗ
　これらの訂正は、上記１で検討したとおり、特許法第１２６条第１項ただし書第２号に掲げる誤記の訂正を目的とするものであり、かつ、同法同条第５項から第７項までの規定に適合するものである。
　
４　訂正事項７〜１０について
　訂正事項７〜１０は、訂正前の本件明細書の段落【００９６】、【０１００】、【０１０４】の及び明細書の段落【０１０６】の【表１】中の「
Ｍｗ
Ｍｗ
　これらの訂正は、上記１で検討したとおり、特許法第１２６条第１項ただし書第２号に掲げる誤記の訂正を目的とするものであり、かつ、同法同条第５項から第７項までの規定に適合するものである。
　
 第５　むすび 
　以上のとおり、本件訂正は、本件訂正の訂正事項１〜１０は、いずれも特許法第１２６条第１項ただし書第２号に掲げる事項を目的とし、かつ、同法同条第５項から第７項までの規定に適合するものである。
　よって、結論のとおり審決する。